(57)【要約】【課題】受け刃を取り替えることなく、簡易な操作であらゆるグリーンに対応できる芝刈機の刈刃調整機構を提供する。【解決手段】エンジン４からの動力によって回転駆動する刈刃軸８に形成されたリール刃９と、該リール刃９と車体２下方に配置された受け刃３９とのすり合せにより芝刈を行う芝刈機１の刈刃調整機構において、前記刈刃軸８に前記受け刃３９を取り付けた軸受体を回動可能に支持し、前記刈刃軸８を中心に前記受け刃３９を回動させて、前記リール刃９と受け刃３９との摺接位置および受け刃３９の傾斜角度を変更する機構を備えた。【選択図】        図８
2004321122.tif 000002
【特許請求の範囲】
【請求項１】
エンジンからの動力によって回転駆動する刈刃軸に形成されたリール刃と、該リール刃と車体下方に配置された受け刃とのすり合せを調整する芝刈機の刈刃調整機構において、前記刈刃軸に前記受け刃を取り付けた軸受体を回動可能に支持し、該軸受体とフレームとの間に受け刃位置調整機構を設けたことを特徴とする芝刈機の刈刃調整機構。
【請求項２】
前記軸受体に前記受け刃を回動可能に取り付け、該受け刃と軸受体の間に隙間調整機構を設けたことを特徴とする請求項１記載の芝刈機の刈刃調整機構。
【発明の詳細な説明】
【０００１】
【発明の属する技術分野】
本発明は、芝刈機の刈刃調整機構に関し、より詳細には、リール刃と受け刃とのすり合わせ位置の調整機構に関するものである。
【０００２】
【従来の技術】
ゴルフ場等の芝管理を目的とした芝刈機において、リールカッターやロータリーナイフ、ハンマーモア等の異なる刈刃を備えた芝刈機が開発されている。これらの芝刈機を作業目的に応じて適宜使い分けることで、より最適な作業を行うことができるようになっている。ゴルフ場で用いる芝刈機は、アンジュレーションが異なり、地表面が凹凸である場所においても、芝の刈高を均一にすることが要求される。
【０００３】
グリーンの芝刈作業においては、ゴルフ競技におけるグリーンの役割上、繊細な作業が要求され、刈刃としてリールカッターを備えたグリーンモアと呼ばれる芝刈機が専用に用いられている。前記グリーンモアは、リール刃と受け刃のすり合せによって芝刈を行うものであるが、グリーンによって芝の硬さやアンジュレーション、また、目的とする刈高さ等が異なり、リール刃と受け刃の摺接位置によっては、リール刃による芝かじり等を引き起こしてしまう。
【０００４】
また、この種の芝刈機に関するものとして、例えば、特許文献１に記載されているようなものが提案されていた。具体的には、車体に対して上下動かつ左右傾斜可能となるとともに、前記車体によって牽引されることとなるように連結具を介して車体に連結されたリール刃支持体を備え、アンジュレーション等の違いに対応した芝刈作業を行えるようにしている（特許文献１参照）。
【０００５】
【特許文献１】
特公平６−２０３７９公報
【０００６】
【発明が解決しようとする課題】
しかしながら、前記従来の芝刈機では次のような課題があった。
すなわち、従来の芝刈機においては、刈り高さとリール刃と受け刃の摺接具合は調節できるのであるが、受け刃の角度や前後位置を調節することは難しいため、グリーンの硬さやアンジュレーションが異なると、当該グリーンに対応する調整ができず、また、例えばゼブラ模様が出る、出ない等を目的とする芝刈作業を行うために刈り高さを調整すると芝をかじることがあった。
【０００７】
さらに、前記特許文献１に記載された芝刈機においては、確かに、刈刃軸が固定された刈刃支持体が、芝刈機の車体から独立して連結されているため、地表表面の凹凸に合わせて芝刈作業を行うことができる。しかし、グリーンが異なれば一つの受け刃では対応することができず、目的とする芝刈り作業を行うには受け刃台を逐次取り替えなければならないという課題があった。
【０００８】
そこで、本発明においては、芝刈機に関し前記従来の課題を解決するため、簡易な操作であらゆるグリーンに対応して受け刃の位置や傾斜角度を微調整できる芝刈機の刈刃調整機構を提供することを目的とするものである。
【０００９】
【課題を解決するための手段】
本発明の解決しようとする課題は以上の如くであり、次にこの課題を解決するための手段を説明する。
すなわち、請求項１においては、エンジンからの動力によって回転駆動する刈刃軸に形成されたリール刃と、該リール刃と車体下方に配置された受け刃とのすり合せを調整する芝刈機の刈刃調整機構において、前記刈刃軸に前記受け刃を取り付けた軸受体を回動可能に支持し、該軸受体とフレームとの間に受け刃位置調整機構を設けたものである。
【００１０】
また、請求項２においては、請求項１において、前記軸受体に前記受け刃を回動可能に取り付け、該受け刃と軸受体の間に隙間調整機構を設けたたものである。
【００１１】
【発明の実施の形態】
以下、添付図面を参照しながら、本発明の実施の形態について説明する。
図１は本発明に係る芝刈機を示す斜視図、図２はベルト伝動装置の側面図である。また、図３は刈刃軸のフレームによる支持部分を示す正面断面図、図４は軸受け部の側面図、図５はフレームの嵌入孔形成部分を示す側面図、図６は固定部材の正面図、図７は同じく側面断面図である。さらに、図８は本発明に係る芝刈機の一実施例を示す図３の正面断面図、図９は同じく別実施例を示す図３の正面断面図、図１０は同じく別実施例を示す図３の正面断面図である。
【００１２】
まず、本実例に係る芝刈機の全体構造について説明する。なお、以下、図１に示す芝刈機１において、ハンドル１３が突設される方向を後方とする。
図１および図２に示すように、芝刈機１の車体２には、右側部上にエンジン４が配設され、後部に左右軸方向に車軸３０が軸支されている。該車軸３０には、左右一対の移動用車輪３が取り付けられ、該移動用車輪３は、前記エンジン４により回転駆動可能とされている。該芝刈機１は、場所移動する際には前記移動用車輪３により走行し、刈取り作業をする際には移動用車輪３が取り外され、前記車軸３０の同軸上に設けられた後部ローラ５により走行する。
【００１３】
車体２の前端部には、左右軸方向に刈刃軸８が軸支されている。該刈刃軸８には、螺旋状に曲げて形成される刃物を数枚組み合わせて構成されるリール刃９が、外周方向に突設されている。なお、該刈刃軸８は、軸受け１２を介して、車体２の左右一端に配設されるフレーム１０に支持されている。該刈刃軸８の前方部には、前ローラ６が、前記フレーム１０の前端部に固着された前ローラ支持体７により上下摺動可能に支持されている。前ローラ支持体７を調節して前ローラ６を上下位置調節することで刈り高さを調節できるようにしている。
【００１４】
図２に示すように、車体２の左側部にはベルト伝動機構１１が配設されている。前記エンジン４からの動力が、該エンジン４の左側方に配設された図示せぬ伝動機構２ａから、伝動軸１９を介して該ベルト伝動機構１１に伝達される。前記伝動軸１９の一側端には、出力プーリ２２と歯付きプーリ２４がそれぞれ固設されている。該出力プーリ２２から、ベルト２９を介して前記刈刃軸８に固設された刈刃駆動プーリ２５へと動力が伝動され、刈刃軸８に突設されたリール刃９により刈取り作業が可能となる。なお、この伝達機構は、リール刃クラッチ２６のテンションプーリ２６ａを前記ベルト２９に当接させるテンションプーリ式クラッチ機構であり、リール刃クラッチ２６はハンドル１３に設けたリール刃クラッチレバー１８により回動操作される。
【００１５】
前記歯付きプーリ２４から、歯付きベルト２７を介して歯付きプーリ２０へ動力が伝達され、歯付きプーリ２０と同軸に固設される歯付きプーリ２３から、歯付きベルト２８を介して駆動プーリ２１へ動力が伝達される。該駆動プーリ２１は前記車軸３０に固設されているため、該駆動プーリ２１にエンジン４からの動力が伝達されると、上述したように前記移動用車輪３と後部ローラ５とが走行駆動できるようにしているのである。なお、前記動力の伝動機構はベルトとプーリに限定するものではなく、チェーンとスプロケットや歯車等を介して伝動する構成とすることもできる。
【００１６】
また、車体２の後端部には、ハンドル１３が後斜上方に延出して設けられている。該ハンドル１３の先端部に配設される把持部１４の近傍には、エンジン４の回転数を調節するアクセルレバー１５および前記移動用車輪３を制御するブレーキ装置を操作するブレーキレバー１６が設けられている。また、図示せぬ走行クラッチの操作を行うための走行クラッチレバー１７と、前記リール刃クラッチ２６の操作を行うためのリール刃クラッチレバー１８とが配設されている。
【００１７】
このように構成した芝刈機１においては、前記エンジン４により、車軸３０と同軸上に設置された移動用車輪３と後部ローラ５を回転駆動して車体２を走行させるとともに、前記刈刃９を回転駆動させて芝刈を行うようにしているのである。そして、車体２の走行に伴って、移動回転する前ローラ６により押さえつけられた芝が、後述するようなリール刃９と受け刃３９とのすり合わせにより刈り取られる。
【００１８】
なお、本実施例に係る芝刈機１においては、車体２の前方部にグラスキャッチャーを装着して、刈屑の収集を行いながら芝刈作業を行うことができる。また、前記リール刃９と前ローラ６との間にサッチング刃を左右軸方向に並設させてもよい。該サッチング刃を前ローラと逆回転させ、該サッチング刃により垂直刈りを行うことができるのである。
【００１９】
ここで、本発明に係る刈刃調整機構について以下に説明する。まず、受け刃３９の回動手段について説明する。
図３に示すように、軸受け１２には嵌入孔１２ａが設けられ、該嵌入孔１２ａには前記刈刃軸８が挿入されている。該刈刃軸８の一端部がベアリング３１を介して回転自在に支持され、刈刃軸８の軸受け１２より外側の部分には、前記刈刃駆動プーリ２５が一体的に固設されている。前記ベアリング３１と刈刃駆動プーリ２５の間には、前記刈刃軸８の抜け止めのために止輪３２が嵌装され、刈刃駆動プーリ２５の左右軸方向の固定位置を一定に調節するためにカラー３３が嵌装されている。前記軸受け１２は固定ボルト３４によりフレーム１０の内側面に取り付け固定されており、該フレーム１０の外側面には、固定部材３５が前記固定ボルト３４により共締めされて取り付け固定されている。
【００２０】
図４に示すように、前記軸受け１２は軸受けプレート４２と一体形成して軸受体とし、該軸受けプレート４２には受け刃の隙間調整機構３８が取り付けられている。該隙間調整機構３８は、前記軸受けプレート４２とネジ棒４６と接続部４９と受け刃３９を支持する受け刃アーム４１等からなり、軸受けプレート４２の斜め後部上にはパイプ状の把持部４２ａが形成され、該把持部４２ａ内部には図示せぬ雌ネジが設けられており、該把持部４２ａにネジ棒４６が螺合されている。該ネジ棒４６上の上部側に支持パイプ部５０、バネ４５が外嵌されて、端部上にナット４４ａ・４４ｂが螺装され、該ナット４４ａはネジ５８によりネジ棒４６に固定している。
【００２１】
前記ネジ棒４６の下方端部にはボルト４７が螺着され、ネジ棒４６下端に形成したナット部４６ａをスパナ等の工具で締め込み固定する。該ボルト４７の軸部には受け刃アーム４１の端部に設けた接続部４９とバネ４８が貫装されている。該接続部４９は円筒状に構成して、接続部４９の軸心（左右方向）と直角方向にボルト孔を前記ボルト４７の径よりも大きく開口して挿入し、該接続部４９はボルト４７の軸方向に摺動可能、かつ、受け刃アーム４１の回動は許容できるようにし、前記バネ４８により接続部４９をネジ棒４６下端側に付勢している。該受け刃アーム４１の他端は受け刃台４０が固定され、該受け刃台４０の下面に受け刃３９が固定されている。なお、該受け刃３９は、消耗したときに交換するために受け刃台４０に脱着可能に装着されている。そして、前記受け刃台４０と受け刃アーム４１はボルト４３により前記軸受けプレート４２に回動自在に枢支されている。
【００２２】
該隙間調整機構３８において、前記ナット４４ａをスパナ等の工具で締め込む方向（右回り）に回動した場合には、接続部４９が下方向に移動し、前記受け刃アーム４１がボルト４３を回動支点として図４において右回りに回動され、前記受け刃３９が上方に回動されて、リール刃と受け刃３９の間隔が狭くなる。ナット部４６ａを逆方向に回動すると、リール刃と受け刃３９の間隔が広くなる。つまり、リール刃または受け刃３９が摩耗すると、リール刃と受け刃がすり合わなくなり、芝の品質に大きな影響を及ぼす。そこで、常に芝の品質を一定するために、前記ナット部４４ａを操作して、ボルト４３を支点に該受け刃３９を回動させ、受け刃３９を前記リール刃９の先端に摺接するように調整するのである。
【００２３】
また、図５に示すように、前記フレーム１０の刈刃軸８の支持部分には嵌入孔１０ａが形成され、該嵌入孔１０ａの下部からフレーム１０の下端までを切り欠いた切欠部１０ｂが形成されている。該切欠部１０ｂの幅ｄは、前記刈刃軸８が該切欠部１０ｂを通過可能な寸法に設定され、前記軸受け１２が取り付けられた状態の刈刃軸８を、該切欠部１０ｂを通じて嵌入孔１０ａに嵌入できるようにしている。
【００２４】
該切欠部１０ｂを形成することで、一体構造とされた前記軸受け１２と受け刃調整機構３８によって、予めリール刃９の先端と受け刃３９との摺接位置を調整した状態で、刈刃軸８を前記嵌入孔１０ａに嵌入させることができる。そのため、本発明に係る芝刈機１の組み立て作業が容易となるとともに、フレーム１０から刈刃軸８を容易に取り外すことができ、各構成部材のメンテナンスが容易となる。
【００２５】
図６および図７に示すように、前記固定部材３５には、板状部材の一面側に円筒形状のインロー部５５が突出して形成されている。上述のように前記軸受け１２とフレーム１０とには、それぞれ嵌入孔１２ａと嵌入孔１０ａとが形成されており、前記インロー部５５の外径が、該嵌入孔１２ａおよび嵌入孔１０ａの内径と略同一に形成されている。そして、該嵌入孔１２ａおよび嵌入孔１０ａに、該固定部材３５のインロー部５５が外側から嵌入され、フレーム１０に対する軸受け１２の位置決めを行うことができるようしているのである。また、このインロー部５５は受け刃３９の位置を変更する場合、円周方向に回転するので、ガイドとすることができ、ネジに無理な力がかからず、調整が簡単に行えるようになる。
【００２６】
次に、受け刃３９の位置調整機構について説明する。
前記刈刃軸８には、前記受け刃３９を取り付けた軸受体（軸受け１２・軸受けプレート４２）が回動可能に支持され、該軸受体と本体側のフレーム１０との間に受け刃位置調整機構が構成されている。つまり、図４に示すように、前記軸受け１２には略同一円周上に固定用のネジ孔５１・５１・５１・５１および調整ネジ貫通用の長孔５２・５２・５２が設けられ、図５に示すように、前記フレーム１０には略同一円周上に固定ネジ貫通用の長孔５３・５３・５３・５３および調整用のネジ孔５４ａ・５４ｂ・５４ｃがそれぞれ設けられている。また、軸受け１２とフレーム１０の両者に跨がって固定される固定部材３５には、図６に示すように、略同一円周上に固定用貫通孔３６・３６・３６・３６および調整用の貫通孔３７ａ・３７ｂ・３７ｃがそれぞれ設けられ、最外側に位置する固定部材３５の貫通孔３７の近傍側面にはメモリまたはインジケータとなる指針３５ａ・３５ｂ・３５ｃが付されて、調整する場合の固定位置の選択が容易にできるようにしている。
そして、これら複数の孔の位置が一致するように同一半径の円周上に配置しており、前記固定ボルト３４は該固定部材３５の貫通孔３６からフレーム１０の長孔５３を貫通して軸受け１２のネジ孔５１に螺挿して固定され、軸受け１２と固定部材３５との間にフレーム１０を挟んで固定されるのである。
【００２７】
前記フレーム１０に形成された長孔５３の短辺は、前記固定ボルト３４の軸径よりも大きく、刈刃軸８を中心とした円弧状の長孔に形成されている。このように長孔の貫通孔とすることで、該固定ボルト３４を弛めた状態で前記長孔５３の長辺方向の溝幅分だけ、前記軸受け１２と固定部材３５との位置を変更可能としている。なお、固定部材３５等がフレーム１０から落下するのを防止するために、該固定部材３５等が上方支持されるように、Ｕ字板５６がボルト５７により取り付けられている。
【００２８】
このように、前記受け刃位置調整機構を配設した軸受け１２と固定部材３５を回転自在に車体２に取り付け可能とすることで、リール刃９と受け刃３９とのすり合せ位置を容易に変更できるのである。また、刈刃軸８を中心に前記受け刃３９を回動させるため、リール刃９と受け刃３９との摺接（すり合わせ状態）は変わらず（リール刃と受け刃３９の間隔は同じ）、芝刈作業を妨げることがない。さらに、受け刃３９を水平面に対して傾斜角度を変更して、すり合わせ位置を前後に移動することで、芝への食い込みや、砂の巻き上げ等も調整することができ、グリーンのゼブラカット模様もその出方に変化をつけることができる。
【００２９】
そこで、上述の軸受け１２の前記フレーム１０への固定位置の調整機構について、一実施例を以下に説明する。
前記リール刃９と受け刃３９との摺接位置および受け刃３９の傾斜角度を変えると、低刈を行う場合やゼブラ模様を出したい場合等の様々な作業目的に対応できるようになる。
本実施例においては、固定部材３５に設けた前記貫通孔３７ａ・３７ｂ・３７ｃと、フレーム１０に設けたネジ孔５４ａ・５４ｂ・５４ｃとの対応を円周方向に僅か（所定角度）ずつずらして設け、前記軸受け１２は固定部材３５と一体的に固定して、フレーム１０に対して所定角度ずつ回動させてることで位置変更して、何れか一組の孔が合致して固定できるようにしている。
【００３０】
具体的には図８乃至図１０に示すように、前記固定部材３５の貫通孔３７ａ・３７ｂ・３７ｃが、フレーム１０のネジ孔５４ａ・５４ｂ・５４ｃにそれぞれ刈刃軸８を中心回転させることで一致するように設けられている。そして、これらの貫通孔およびネジ孔は、一組（例えば貫通孔３７ａとネジ孔５４ａ）を一致させて、掛止ボルト６０を螺挿すると、残り（貫通孔３７ｂとネジ孔５４ｂおよび貫通孔３７ｃとネジ孔５４ｃ）が一致しない位置に形成されている。
【００３１】
図８は、前記貫通孔３７ａとネジ孔５４ａを一致させて掛止ボルト６０にて固定させた後、フレーム１０を挟んで軸受け１２と固定部材３５とを共締めして取り付けられた状態のベルト伝動装置１１の側面を図示したものである。この状態においては、前記リール刃９の先端が回動する軌跡の最下点（刈刃軸８の中心の垂線）と受け刃３９の先端との距離Ｗ１が短く、また、受け刃３９の水平軸からの傾斜角度θ１が低く（小さく）なるように調整されている。したがって、この調整で芝刈を行うと、刈刃の芝への食い込みが悪く芝を寝かせた状態で刈るため、低刈りには不向きであるが、グリーンのゼブラ模様をはっきりと現すことができる。
【００３２】
また、図９に示すように、前記貫通孔３７ｂとネジ孔５４ｂを一致させて掛止ボルト６０にて固定させた場合には、前記貫通孔３７ａとネジ孔５４ａを一致させた場合よりも、刈刃軸を中心に前記軸受け１２が反時計方向に回動される。そして、前記距離Ｗ２はＷ１よりも長く（Ｗ２＞Ｗ１）、すなわち、リール刃９と受け刃３９との摺接位置が前記リール刃９の先端が回動する軌跡の最下点よりもより後方になるように調整される。また、傾斜角度θ２はθ１よりも大きく（θ２＞θ１）なるように調整される。したがって、この調整で芝刈を行うと、芝を程よく立たせた状態で刈るため低刈りに向いており、砂をほとんど巻き上げず、グリーンのゼブラを程よく現すことができる。
【００３３】
さらに、図１０に示すように、前記貫通孔３７ｃとネジ孔５４ｃを一致させて掛止ボルト６０にて固定させた場合には、前記貫通孔３７ｂとネジ孔５４ｂを一致させた場合よりも、さらに前記軸受け１２が反時計方向に回動される。そして、前記距離Ｗ３はＷ１およびＷ２よりも長く（Ｗ３＞Ｗ２＞Ｗ１）、すなわち、前記摺接位置がさらに後方になるように調整される。また、傾斜角度θ３もθ１およびθ２より大きく（θ２＞θ２＞θ１）なるように調整される。この調整で芝刈を行うと、刈刃の芝への食い込みが良く芝を極端に立たせた状態で刈るため、低刈りに向いている。一方で、砂を巻き上げ、グリーンのゼブラはほとんど出ない。また、芝を立たせて刈り込むため、グルーミング等が不要になるのである。
【００３４】
このように、本実施例においては前記フレーム１０と固定部材３５とを掛止ボルト６０により固着させるものであるが、同一半径上に配置した前記各貫通孔３７ａ・３７ｂ・３７ｃの間のそれぞれの角度と、ネジ孔５４ａ・５４ｂ・５４ｃの間のそれぞれの角度とを異なる角度とすることで、円周方向に僅かにずらして固定すだけで、前記リール刃９と受け刃３９との摺接位置（前後方向のすり合わせ位置）および受け刃３９の傾斜角度を変更させることができ、刈り取り作業の異なる効果を奏することができるのである。そして、予め複数組の貫通孔等を所定角度づつずらせて設けることで、決められた前記リール刃９と受け刃３９との摺接位置および受け刃３９の傾斜角度となるようにして、変更を簡単に行えるようにしているのである。
【００３５】
なお、固定位置は本実施例では３箇所であるが、２箇所または４箇所以上であってもよい。また、ネジ等を用いて無段階に調節するように構成することもできる。また、前記掛止ボルト６０をノブネジ等にすることで、スパナ等が不要になり、より簡易に受け刃３９を回動させることができる。
【００３６】
【発明の効果】
本発明は、以上のように構成したので、以下に示すような効果を奏する。
すなわち、請求項１に示すように、エンジンからの動力によって回転駆動する刈刃軸に形成されたリール刃と、該リール刃と車体下方に配置された受け刃とのすり合せを調整する芝刈機の刈刃調整機構において、前記刈刃軸に前記受け刃を取り付けた軸受体を回動可能に支持し、該軸受体とフレームとの間に受け刃位置調整機構を設けたので、組み立て容易な芝刈機を提供し、かつ、前記刈刃軸を中心に前記受け刃を回動させて、前記リール刃と受け刃との摺接位置および受け刃の傾斜角度を変更することが可能となり、異なる数種類の受け刃台を作業ごとに取り替える必要がなく、簡易な操作でリール刃と受け刃との摺接を変えることなくその摺接位置等のみを変更して、グリーンのアンジュレーションや凹凸等の違いに対応して、芝刈を行うことができる。
【００３７】
また、請求項２に示すように、請求項１において、前記軸受体に前記受け刃を回動可能に取り付け、該受け刃と軸受体の間に隙間調整機構を設けたので、作業目的に応じて、前記リール刃と受け刃との摺接位置および受け刃の傾斜角度を微調整することができる。さらに、リール刃と受け刃との間隔をすり合わせ位置を設定した状態で容易に調節でき、品質を一定にすることが容易にでき、メンテナンス性を向上できる。そして、芝への食い込み状態も容易に変更できる。
【図面の簡単な説明】
【図１】本発明に係る芝刈機を示す斜視図。
【図２】ベルト伝動装置の側面図。
【図３】刈刃軸のフレームによる支持分を示す正面断面図。
【図４】軸受け部の側面図。
【図５】フレームの嵌入孔形成部分を示す側面図。
【図６】固定部材の正面図。
【図７】同じく側面断面図。
【図８】本発明に係る芝刈機の一実施例を示す図３の正面断面図。
【図９】同じく別実施例を示す図３の正面断面図。
【図１０】同じく別実施例を示す図３の正面断面図。
【符号の説明】
１  芝刈機
２  車体
８  刈刃軸
９  リール刃
１０  フレーム
１２  軸受け
３４  固定ボルト
３５  固定部材
３７ａ・３７ｂ・３７ｃ  貫通孔
３８  受け刃調整機構３８
３９  受け刃
４０  受け刃台
４２  軸受けプレート
５４ａ・５４ｂ・５４ｃ  ネジ孔
６０  掛止ボルト
【図１】
2004321122.tif 000003
【図２】
2004321122.tif 000004
【図３】
2004321122.tif 000005
【図４】
2004321122.tif 000006
【図５】
2004321122.tif 000007
【図６】
2004321122.tif 000008
【図７】
2004321122.tif 000009
【図８】
2004321122.tif 000010
【図９】
2004321122.tif 000011
【図１０】
2004321122.tif 000012